(57)【要約】【課題】新設枠の開口寸法を大きくとれると共に部品点数の増加を抑えられ、既設枠内に新設枠を室内側および室外側のいずれからも簡単に設置することができる改装サッシおよびその施工方法を提供すること。【解決手段】改装サッシ１は、既設枠１０、新設枠２０および上カバー材３０、縦カバー材によって構成される。新設枠２０の新設上枠２１、新設下枠２２および左右の新設縦枠は建物躯体２に固定される。上カバー材３０は、取付金具６０を介して建物躯体２のまぐさに取り付けられており、既設枠１０の既設上枠１１および新設上枠２１間を覆って配置される。縦カバー材は、新設縦枠に取り付けられており、既設枠１０の既設縦枠および新設縦枠間を覆って配置される。新設下枠２２は、既設下枠１２に載置可能に構成されている。【選択図】図１
2019015094.tif 000002
【特許請求の範囲】
【請求項１】
建物躯体に取り付けられた既設枠の内周側に新設枠が設置される改装サッシであって、
前記既設枠は、既設上枠、既設下枠および左右の既設縦枠によって構成されており、
前記新設枠は、前記建物躯体に固定される新設上枠、新設下枠および左右の新設縦枠によって構成されており、
前記新設上枠および前記建物躯体のうちの少なくとも一方には、前記既設上枠および前記新設上枠間を覆う上カバー材が取り付けられており、
前記左右の新設縦枠および前記建物躯体のうちの少なくとも一方には、前記左右の既設縦枠および前記左右の新設縦枠間を覆う縦カバー材が取り付けられており、
前記新設下枠は、前記既設下枠に載置可能に構成されている
ことを特徴とする改装サッシ。
【請求項２】
請求項１に記載の改装サッシにおいて、
前記新設下枠には、前記既設下枠に対する高さ位置を調整可能な下枠支持金具が取り付けられている
ことを特徴とする改装サッシ。
【請求項３】
請求項１または請求項２に記載の改装サッシを施工する施工方法であって、
上カバー材および縦カバー材のうちの一方のカバー材を、既設枠が残存した建物躯体に取り付け、
前記既設枠内に新設枠を室内側から挿入し、
前記新設枠の新設下枠を前記既設枠の既設下枠に載置しつつ前記新設枠の新設上枠および新設縦枠のうちの少なくとも一方の枠材を前記一方のカバー材に当接させ、
前記新設枠を前記建物躯体に固定し、
前記上カバー材および前記縦カバー材のうちの他方のカバー材を、前記新設枠に取り付ける
ことを特徴とする改装サッシの施工方法。
【請求項４】
請求項１または請求項２に記載の改装サッシを施工する施工方法であって、
上カバー材および縦カバー材の双方を、既設枠が残存した建物躯体に取り付け、
前記既設枠内に新設枠を室内側から挿入し、
前記新設枠の新設下枠を前記既設枠の既設下枠に載置しつつ前記新設枠の新設上枠および新設縦枠を前記上カバー材および前記縦カバー材に当接させ、
前記新設枠を前記建物躯体に固定する
ことを特徴とする改装サッシの施工方法。
【請求項５】
請求項１または請求項２に記載の改装サッシを施工する施工方法であって、
上カバー材および縦カバー材を新設枠の新設上枠および新設縦枠に取り付け、
建物躯体に残存した既設枠内に前記新設枠を室外側から挿入し、
前記上カバー材および前記縦カバー材を前記既設枠の既設上枠および既設縦枠に当接させつつ前記新設枠の新設下枠を前記既設枠の既設下枠に載置し、
前記新設枠を前記建物躯体に固定する
ことを特徴とする改装サッシの施工方法。
【発明の詳細な説明】
【技術分野】
【０００１】
本発明は、建物躯体に取り付けられた既設枠の内周側に新設枠を設置して構成される改装サッシおよびその施工方法に関する。
【背景技術】
【０００２】
従来、既設サッシの既設枠を建物躯体の開口部に残存させ、既設枠内に新設サッシの新設枠を設置した改装サッシが知られている（特許文献１参照）。既設枠は、既設上枠、既設下枠および左右の既設縦枠によって構成されており、新設枠は、新設上枠およびこれに取り付けられたジョイント上枠と、新設下枠およびこれに取り付けられたジョイント下枠と、左右の新設縦枠およびこれらに取り付けられたジョイント縦枠とによって構成されている。ジョイント上枠、ジョイント下枠およびジョイント縦枠といったジョイント枠は建物躯体に固定されている。
この改装サッシは、既設上枠に横取付金具を介して取り付けられた上カバー材と、左右の既設縦枠に縦取付金具を介して取り付けられた縦カバー材とを備えている。上カバー材は既設上枠およびジョイント上枠の室外見付け面を覆って配置されており、縦カバー材は左右の既設縦枠およびジョイント縦枠の室外見付け面を覆って配置されている。
【先行技術文献】
【特許文献】
【０００３】
【特許文献１】特許第５９３６２２７号公報
【発明の概要】
【発明が解決しようとする課題】
【０００４】
ところで、特許文献１に記載の改装サッシでは、既設上枠および新設上枠間と、既設下枠および新設下枠間と、既設縦枠および新設縦枠間とにジョイント枠が介在される分だけ、新設枠の開口寸法が小さくなるおそれや部品点数が増すおそれがある。
また、この改装サッシは、上カバー材が横取付金具を介して既設上枠に取り付けられ且つ縦カバー材が縦取付金具を介して既設縦枠に取り付けられた後に、新設枠が室内側から設置される室内施工タイプであり、既設枠内に新設枠を室外側から設置しようとしても、既設枠に取り付けられた上カバー材や縦カバー材が邪魔となって設置が困難である。仮に上カバー材や縦カバー材を既設枠に取り付ける前に既設枠内に新設枠を室外側から設置しようとしても、新設枠を上カバー材や縦カバー材に当接させて見込み位置決めをすることができずに設置が困難である。
【０００５】
本発明の目的は、新設枠の開口寸法を大きくとれると共に部品点数の増加を抑えられ、既設枠内に新設枠を室内側および室外側のいずれからも簡単に設置することができる改装サッシおよびその施工方法を提供することにある。
【課題を解決するための手段】
【０００６】
本発明の改装サッシは、建物躯体に取り付けられた既設枠の内周側に新設枠が設置される改装サッシであって、前記既設枠は、既設上枠、既設下枠および左右の既設縦枠によって構成されており、前記新設枠は、前記建物躯体に固定される新設上枠、新設下枠および左右の新設縦枠によって構成されており、前記新設上枠および前記建物躯体のうちの少なくとも一方には、前記既設上枠および前記新設上枠間を覆う上カバー材が取り付けられており、前記左右の新設縦枠および前記建物躯体のうちの少なくとも一方には、前記左右の既設縦枠および前記左右の新設縦枠間を覆う縦カバー材が取り付けられており、前記新設下枠は、前記既設下枠に載置可能に構成されていることを特徴とする。
本発明の改装サッシによれば、新設下枠を既設下枠に載置することで、新設下枠および既設下枠間の隙間を埋める前述したようなジョイント枠がなくても新設枠の荷重を支持可能な構成にすることができる。また、新設上枠および新設縦枠が建物躯体に固定されるので、これらを建物躯体に固定するためにジョイント枠を用いる必要がない。このようにジョイント枠が不要となる分だけ新設枠の開口寸法を大きくとることができると共に、部品点数の増加を抑えることができる。
さらに、上カバー材および縦カバー材のうちの少なくとも一方のカバー材が建物躯体に取り付けられる場合には、既設枠内に新設枠を室内側から配置し、新設下枠を既設下枠に載置しつつ新設枠を前記一方のカバー材に当接させることで、新設枠の見込み位置決めを行うことができ、既設枠内に新設枠を室内側から設置する室内施工を簡単に行うことができる。
また、上カバー材および縦カバー材が新設枠に取り付けられる場合には、既設枠内に新設枠を室外側から配置し、新設下枠を既設下枠に載置しつつ上カバー材および縦カバー材を既設枠に当接させることで、新設枠の見込み位置決めを行うことができ、既設枠内に新設枠を室外側から設置する室外施工を簡単に行うことができる。
このように室内施工、室外施工にいずれも簡単に行える改装サッシであるため、施工現場の間取りや外部の足場の有無などの現場状況に応じて室内施工や室外施工を使い分けて施工可能であり、いずれの場合にも、カバー材が新設枠や既設枠に対して当接することで新設枠が倒れないように支えられるので、新設枠が過度に倒れて傾き、当該新設枠の接合部の止水材が縒れることで止水性能が低下することをなくすことができる。
【０００７】
本発明の改装サッシでは、前記新設下枠には、前記既設下枠に対する高さ位置を調整可能な下枠支持金具が取り付けられていることが好ましい。
このような構成によれば、下枠支持金具によって既設下枠に対する新設下枠の高さ位置を調整することで、各バリエーションの既設下枠に対して新設下枠を安定して載置することができる。
【０００８】
本発明の改装サッシの施工方法は、前述した本発明の改装サッシを施工する施工方法であって、上カバー材および縦カバー材のうちの一方のカバー材を、既設枠が残存した建物躯体に取り付け、前記既設枠内に新設枠を室内側から挿入し、前記新設枠の新設下枠を前記既設枠の既設下枠に載置しつつ前記新設枠の新設上枠および新設縦枠のうちの少なくとも一方の枠材を前記一方のカバー材に当接させ、前記新設枠を前記建物躯体に固定し、前記上カバー材および前記縦カバー材のうちの他方のカバー材を、前記新設枠に取り付けることを特徴とする。
本発明の改装サッシの施工方法によれば、前述した本発明の改装サッシと同様にジョイント枠が不要であり、新設枠の開口寸法を大きくとれると共に部品点数を抑えることができる。また、上カバー材および縦カバー材のうちの少なくとも一方のカバー材を建物躯体に取り付け、その後に新設枠を既設枠内に室内側から配置するので、一方のカバー材によって新設枠を室外側から支えることができ、また、一方のカバー材に新設枠が当接させられることで当該新設枠の見込み位置決めを行うことができる。このように既設枠内に新設枠を室内側から設置する室内施工を簡単に行うことができる。
【０００９】
本発明の改装サッシの施工方法は、前述した本発明の改装サッシを施工する施工方法であって、上カバー材および縦カバー材の双方を、既設枠が残存した建物躯体に取り付け、前記既設枠内に新設枠を室内側から挿入し、前記新設枠の新設下枠を前記既設枠の既設下枠に載置しつつ前記新設枠の新設上枠および新設縦枠を前記上カバー材および前記縦カバー材に当接させ、前記新設枠を前記建物躯体に固定することを特徴とする。
本発明の改装サッシの施工方法によれば、前述した本発明の改装サッシと同様にジョイント枠が不要であり、新設枠の開口寸法を大きくとれると共に部品点数を抑えることができる。また、上カバー材および縦カバー材の双方を建物躯体に取り付け、その後に新設枠を既設枠内に室内側から配置するので、上カバー材および縦カバー材によって新設上枠および新設縦枠を室外側から支えることができ、また、上カバー材および縦カバー材によって新設枠が当接させられることで当該新設枠の見込み位置決めを行うことができる。このように既設枠内に新設枠を室内側から設置する室内施工を簡単に行うことができる。
さらに、新設枠の固定前に上カバー材および縦カバー材の双方を建物躯体に取り付けるので、新設枠の固定後にカバー材をさらに取り付ける必要をなくすことができる。
【００１０】
本発明の改装サッシの施工方法は、前述した本発明の改装サッシを施工する施工方法であって、上カバー材および縦カバー材を新設枠の新設上枠および新設縦枠に取り付け、建物躯体に残存した既設枠内に前記新設枠を室外側から挿入し、前記上カバー材および前記縦カバー材を前記既設枠の既設上枠および既設縦枠に当接させつつ前記新設枠の新設下枠を前記既設枠の既設下枠に載置し、前記新設枠を前記建物躯体に固定することを特徴とする。
本発明の改装サッシの施工方法によれば、前述した本発明の改装サッシと同様にジョイント材が不要であり、新設枠の開口寸法を大きくとれると共に部品点数を抑えることができる。また、上カバー材および縦カバー材を新設上枠および新設縦枠に取り付けるので、既設枠内に新設枠を室外側から挿入する際に上カバー材や縦カバー材が邪魔となることがなく、また、上カバー材および縦カバー材を既設上枠および既設縦枠に当接させることで、新設枠の見込み位置決めを行うことができる。このように既設枠内に新設枠を室外側から設置する室外施工を簡単に行うことができる。
【発明の効果】
【００１１】
本発明によれば、新設枠の開口寸法を大きくとれると共に部品点数の増加を抑えられ、既設枠内に新設枠を室内側および室外側のいずれからも簡単に設置することができる改装サッシおよびその施工方法を提供することにある。
【図面の簡単な説明】
【００１２】
【図１】本発明の第１実施形態に係る改装サッシを示す縦断面図。
【図２】第１実施形態に係る改装サッシを示す横断面図。
【図３】第１実施形態に係る改装サッシの室内施工手順を示す説明図。
【図４】本発明の第２実施形態に係る改装サッシを示す縦断面図。
【図５】第２実施形態に係る改装サッシを示す横断面図。
【図６】第２実施形態に係る改装サッシの室外施工手順を示す説明図。
【発明を実施するための形態】
【００１３】
［第１実施形態］
以下、本発明の第１実施形態を説明する。
図１，２において、第１実施形態に係る改装サッシ１は、建物躯体２の開口部３に設置されるものである。改装サッシ１は、建物躯体２に取り付けられた既設枠１０と、既設枠１０の内周側に設置された新設枠２０と、既設枠１０および新設枠２０間を室外側から覆ったカバー材（上カバー材３０、縦カバー材４０）とによって構成されている。既設枠１０は、サッシを改装する際に、建物躯体２に取り付けられていた既設サッシから既設パネルが取り外され、当該建物躯体に残存したものである。新設サッシ４は、新設枠２０内に障子５，６（新設パネル）が引き違い可能に配置されることで引き違い窓として構成されている。なお、新設サッシ４には網戸７も取り付けられている。
ここで、図に示すＸ，Ｙ，Ｚ軸方向は互いに直交しており、Ｘ軸方向は後述する新設上枠２１および新設下枠２２の見付け方向に沿っており、Ｙ軸方向は後述する新設縦枠２３，２４の見付け方向に沿っており、Ｚ軸方向は改装サッシ１の見込み方向に沿っている。
【００１４】
既設枠１０は、既設上枠１１、既設下枠１２および左右の既設縦枠１３，１４を枠組みして構成されている。既設上枠１１は建物躯体２のまぐさに固定されており、既設下枠１２は建物躯体２の窓台に固定されており、左右の既設縦枠１３，１４は建物躯体２の柱にそれぞれ固定されている。
既設上枠１１の室外見付け片部１１１は、図１に示すようにＺ軸方向において上カバー材３０と対向している。また、既設上枠１１には、既設サッシにおいてレールとして用いられていた垂下片部１１２が形成されている。既設下枠１２の上面１２１は、図１に示すように室内側から室外側に向かって段階的に低くなる形状とされている。既設下枠１２の室外見付け片部１２２は、後述する下カバー材８によって室外側から覆われている。既設縦枠１３，１４の室外見付け片部１３１，１４１は、図２に示すようにＺ軸方向において縦カバー材４０とそれぞれ対向している。
【００１５】
新設枠２０は、新設上枠２１、新設下枠２２および左右の新設縦枠２３，２４を枠組みして構成されている。新設上枠２１は、図１に示すように、新設枠２０の開口上部を規定する上枠本体部２１１と、上枠本体部２１１よりも上方にある上見込み片部２１２とを有している。上枠本体部２１１は既設上枠１１の下方に配置されており、上枠本体部２１１の室外見付け片部２１３はＺ軸方向において上カバー材３０と対向している。上見込み片部２１２は、上枠本体部２１１よりも室内側に延びて形成されており、その室内側寄りの部分にスペーサ５１および後述する取付金具６０を介して建物躯体２のまぐさに固定ねじ９によってねじ止めされている。また、上見込み片部２１２の室外側部分は取付金具６０をねじ止め可能なヒレ部２１２Ａとして構成されている。なお、上見込み片部２１２の室内側部分、スペーサ５１および取付金具６０の室内側部分は防水シート５２によって覆われている。
【００１６】
新設下枠２２は、図１に示すように、新設枠２０の開口下部を規定する下枠本体部２２１と、下枠本体部２２１よりも室内側に延出した固定片部２２２とを有しており、下枠本体部２２１の室外見付け片部２２３には、下端部が既設下枠１２の上面１２１に当接した下枠支持金具２２４が調整ねじ２２５によってねじ止めされている。固定片部２２２は、建物躯体２の窓台上に載置され且つ固定ねじ９によってねじ止めされている。下枠本体部２２１の下面２２６は室内側から室外側に向かって段階的に低くなる形状とされている。なお、固定片部２２２は防水シート５２によって覆われている。また、室外見付け片部２２３には下カバー材８が装着されている。
下枠支持金具２２４は、固定片部２２２よりも低い位置に配置されており、下枠本体部２２１よりも下方に突出している。この下枠支持金具２２４には、上下方向に沿った図示しない長孔が形成されており、この長孔に調整ねじ２２５が挿通されている。このため、調整ねじ２２５が緩められた状態では、下枠支持金具２２４は室外見付け片部２２３に対して上下方向に位置調整可能であり、この位置調整によって下枠支持金具２２４の下枠本体部２２１からの下方突出量を適宜設定可能である。
この新設下枠２２は、室内側では固定片部２２２が建物躯体２の窓台に載置されると共に、室外側では下枠支持金具２２４が既設下枠１２に載置されることで、新設サッシ４の鉛直荷重を支持可能に既設下枠１２上に配置されている。
【００１７】
新設縦枠２３，２４は、図２に示すように、新設枠２０の開口左右部を規定する縦枠本体部２３１，２４１と、縦枠本体部２３１，２４１から室内側に延出した延出片部２３２，２４２とを有している。
縦枠本体部２３１は、既設縦枠１３に対して左側に配置されており、縦枠本体部２３１の室外見付け片部２３３はＹ軸方向において縦カバー材４０に隣接している。縦枠本体部２３１の室内側部分および延出片部２３２と建物躯体２の右側の柱との間にはスペーサ５１が配置されており、縦枠本体部２３１の室内側部分はスペーサ５１を介して建物躯体２の柱に固定ねじ９によってねじ止めされている。なお、延出片部２３２およびスペーサ５１は防水シート５２によって覆われている。
縦枠本体部２４１は、既設縦枠１４に対して右側に配置されており、縦枠本体部２４１の室外見付け片部２４３はＹ軸方向において縦カバー材４０に隣接している。縦枠本体部２４１の室内側部分および延出片部２４２と建物躯体２の左側の柱との間にはスペーサ５１が配置されており、縦枠本体部２４１の室内側部分はスペーサ５１を介して建物躯体２の柱に固定ねじ９によってねじ止めされている。なお、延出片部２４２およびスペーサ５１は防水シート５２によって覆われている。
【００１８】
上カバー材３０は、既設上枠１１および新設上枠２１に沿ってＹ軸方向に延びて形成されており、図１に示すように取付金具６０がねじ６１によってねじ止めされた取付カバー部３１と、取付カバー部３１から上方に延出した上カバー片部３２とを有しており、取付カバー部３１にはねじ６１を隠すキャップ３３が係合している。
取付カバー部３１のうちねじ止め位置よりも下側部分には、シール材６２が設けられており、このシール材６２によって新設上枠２１の室外見付け片部２１３との間を塞いでいる。上カバー片部３２は、取付カバー部３１から室内側に傾斜しており、その上端部分にはシール材６２が設けられており、このシール材６２によって既設上枠１１の室外見付け片部１１１との間を塞いでいる。この上カバー片部３２は、室外見付け片部１１１の室外見付け面全体を室外側から覆って配置されている。
取付金具６０は、縦片部６５と縦片部６５よりも長尺の横片部６６とを有して断面略Ｌ字状に形成されており、縦片部６５にはねじ６１によって上カバー材３０が取り付けられ、横片部６６の室内側部分は固定ねじ９によって建物躯体２のまぐさにねじ止めされている。なお、横片部６６には既設上枠１１の垂下片部１１２が当接している。
【００１９】
縦カバー材４０は、図２に示すように、改装サッシ１の左右両側にそれぞれ設けられており、既設縦枠１３，１４および新設縦枠２３，２４に沿ってＸ軸方向に延びて形成されている。
図２に右側に示す縦カバー材４０は、縦カバー片部４１と、縦カバー片部４１から室内側に延出した取付片部４２とを有している。縦カバー片部４１の室内面にはシール材６３が設けられており、このシール材６３によって既設縦枠１３の室外見付け片部１３１との間を塞いでいる。この縦カバー片部４１は、室外見付け片部１３１の室外見付け面全体を室外側から覆って配置されている。取付片部４２は、ねじ４３によって新設縦枠２３の縦枠本体部２３１にねじ止めされている。図２に左側に示す縦カバー材４０もまた前述同様に構成されて左右逆向きに配置されており、この縦カバー片部４１は既設縦枠１４の室外見付け片部１４１の室外見付け面全体を室外側から覆っており、この取付片部４２はねじ４３によって新設縦枠２４の縦枠本体部２４１にねじ止めされている。
【００２０】
以下、第１実施形態に係る改装サッシ１の室内施工について説明する。
まず、既設サッシから既設パネル（図示省略）を取り外して既設枠１０を建物躯体２に固定したまま残存させた状態とし、図３（Ａ）に示すように、上カバー材３０を取付金具６０を介して建物躯体２に固定ねじ９によってねじ止めする。
次に、新設枠２０を既設枠１０の内周側に配置する。具体的には、図３（Ｂ）に示すように、新設枠２０を室内側に傾けた状態で室内側から既設枠１０内に挿入し、新設下枠２２の固定片部２２２を建物躯体２の窓台に当接し、この当接位置を支点として新設枠２０を起き上がらせて、下枠支持金具２２４を既設下枠１２上に載置しつつ新設上枠２１を上カバー材３０に当接して新設枠２０の見込み位置決めを行い、その後、図３（Ｃ）に示すように固定ねじ９によって新設枠２０を建物躯体２に固定する。新設枠２０の固定後、図３（Ｄ）に示すように縦カバー材４０を新設縦枠２３に取り付ける。新設縦枠２４にも同様に縦カバー材４０を取り付ける。
最後に、図３（Ｅ）に示すように、障子５，６を新設枠２０内に配置し、下枠支持金具２２４の上下位置調整によって新設下枠２２の既設下枠１２に対する高さ位置を調整し、下カバー材８を新設下枠２２に装着する。このようにして改装サッシ１を室内施工する。
【００２１】
［第２実施形態］
以下、本発明の第２実施形態に係る改装サッシ１Ｂを説明する。
図４，５において、第２実施形態に係る改装サッシ１Ｂは、改装サッシ１と基本的に同構成であるが、一部取り付けなどが若干変更されている。具体的には、取付金具６０が上カバー材３０に対して上下逆向きに取り付けられていると共に横片部６６がねじ６７によって新設上枠２１のヒレ部２１２Ａに取り付けられている。また、左右の縦カバー材４０は開口内側に９０度回転した向きで新設縦枠２３，２４に取り付けられている。
【００２２】
以下、第２実施形態に係る改装サッシ１Ｂの室外施工について説明する。
まず、新設上枠２１に取付金具６０を介して上カバー材３０を取り付け且つ左右の新設縦枠２３，２４に縦カバー材４０を取り付けて、図６（Ａ）に示すように既設枠１０内に新設枠２０を室外側から挿入する。
続いて、上カバー材３０および縦カバー材４０を既設上枠１１および既設縦枠１３，１４に当接させて新設枠２０の見込み位置決めを行いつつ、新設下枠２２を既設下枠１２に載置し、図６（Ｂ）に示すように固定ねじ９によって新設枠２０を建物躯体２に固定する。
最後に、図６（Ｃ）に示すように、障子５，６を新設枠２０内に配置し、下枠支持金具２２４の上下位置調整によって新設下枠２２の既設下枠１２に対する高さ位置を調整し、下カバー材８を新設下枠２２に装着する。このようにして改装サッシ１を室外施工する。
【００２３】
［本実施形態の効果］
（１）第１、第２実施形態によれば、新設下枠２２を既設下枠１２に載置することで、新設下枠２２および既設下枠１２間の隙間を埋めるジョイント枠がなくても新設枠２０の荷重を支持可能な構成にすることができる。また、新設上枠２１および新設縦枠２３，２４が建物躯体２に固定されるので、これらを建物躯体２に固定するためにジョイント枠を用いる必要がない。このようにジョイント枠が不要となる分だけ新設枠２０の開口寸法を大きくとることができると共に、部品点数の増加を抑えることができる。また、ジョイント枠が不要となる分だけ、部材同士に隙間が発生する箇所が少なくなるので、シール箇所を減らすことができる。
（２）第１実施形態によれば、上カバー材３０が既設上枠１１および新設上枠２１のいずれでもなく建物躯体２に取り付けられるので、既設枠１０内に新設枠２０を室内側から配置し、新設下枠２２を既設下枠１２に載置しつつ新設枠２０を上カバー材３０に当接させることで、新設枠２０の見込み位置決めを行うことができ、既設枠１０内に新設枠２０を室内側から設置する室内施工を簡単に行うことができる。
（３）第２実施形態によれば、上カバー材３０および縦カバー材４０の双方が新設枠２０に取り付けられるので、既設枠１０内に新設枠２０を室外側から配置し、新設下枠２２を既設下枠１２に載置しつつ上カバー材３０および縦カバー材４０を既設枠１０に当接させることで、新設枠２０の見込み位置決めを行うことができ、既設枠１０内に新設枠２０を室外側から設置する室外施工を簡単に行うことができる。
（４）改装サッシ１、１Ｂは、上カバー材３０の取付相手が若干異なるだけであって同じ基本構成とされているので、室内施工、室外施工にいずれも簡単に行える改装サッシを構成でき、施工現場の間取りや外部の足場の有無などの現場状況に応じて室内施工や室外施工を使い分けて施工可能である。また、室内施工、室外施工のいずれの場合にも、上カバー材３０や縦カバー材４０が新設枠２０や既設枠１０に対して当接することで新設枠２０が倒れないように支えることができるので、新設枠２０が過度に倒れて傾き、当該新設枠２０の接合部の止水材が縒れることで止水性能が低下することをなくすことができる。
（５）新設下枠２２には、既設下枠１２に対する高さ位置を調整可能な下枠支持金具２２４が取り付けられているので、下枠支持金具２２４によって既設下枠１２に対する新設下枠２２の高さ位置を調整することで、各バリエーションの既設下枠１２に対して新設下枠２２を安定して載置することができる。
（６）改装サッシ１の室内施工では、新設枠２０を建物躯体２に固定した後に縦カバー材４０を新設縦枠２３，２４に取り付けるので、例えば新設枠２０を建物躯体２に固定する前に縦カバー材４０を新設縦枠２３，２４に取り付ける場合と比べ、新設縦枠２３，２４の位置が定まっているので、この新設縦枠２３，２４に対する縦カバー材４０の位置合わせを容易に行うことができる。
【００２４】
［変形例］
本発明は、以上の実施形態で説明した構成のものに限定されず、本発明の目的を達成できる範囲での変形例は、本発明に含まれる。
例えば、改装サッシ１の室内施工では、既設枠１０内に新設枠２０を挿入する前に、上カバー材３０を建物躯体２に取り付けているが、これに代えて、縦カバー材４０を建物躯体２に取り付けてもよい。この場合には、既設枠１０内に挿入した新設枠２０の新設縦枠２３，２４を縦カバー材４０に当接することで新設枠２０の見込み位置決めを行う。なお、縦カバー材４０は建物躯体２に取り付けられるので新設縦枠２３，２４に取り付けなくてもよい。
また、改装サッシ１の室内施工では、既設枠１０内に新設枠２０を挿入する前に、上カバー材３０および縦カバー材４０の双方を取付金具を介して建物躯体２に取り付けてもよい。この場合には、既設枠１０内に新設枠２０が室内側から配置される際に、上カバー材３０および縦カバー材４０によって新設上枠２１および新設縦枠２３，２４を室外側から支えることができ、また、上カバー材３０および縦カバー材４０によって新設枠２０が当接させられることで当該新設枠２０の見込み位置決めを行うことができる。このように既設枠１０内に新設枠２０を室内側から設置する室内施工を簡単に行うことができる。また、第１実施形態において説明した室外施工では、新設枠２０の固定後に縦カバー材４０を取り付けるが、この手順を省くことができる。
第２実施形態では、取付金具６０が新設上枠２１および建物躯体２の双方に取付け、固定されているが、建物躯体２への固定はされていなくてもよい。
【００２５】
第１，２実施形態では、新設サッシ４を引き違い窓として説明したが、このようなスライディング系の窓に限らず、開き系等の窓であってもよい。また、開き系の窓などであって新設下枠２２の既設下枠１２に対する高さ調整が必要ない場合には、下枠支持金具２２４の構成を省略し、新設下枠２２がその室外側部分でも既設下枠１２に直接載置される枠形材形状とされてもよい。
【符号の説明】
【００２６】
１…改装サッシ、１０…既設枠、１１…既設上枠、１１１，１２２，１３１，１４１，２１３，２２３，２３３，２４３…室外見付け片部、１１２…垂下片部、１２…既設下枠、１２１…上面、１３，１４…既設縦枠、１Ｂ…改装サッシ、２…建物躯体、２０…新設枠、２１…新設上枠、２１１…上枠本体部、２１２…上見込み片部、２１２Ａ…ヒレ部、２２…新設下枠、２２１…下枠本体部、２２２…固定片部、２２４…下枠支持金具、２２５…調整ねじ、２２６…下面、２３，２４…新設縦枠、２３１…縦枠本体部、２３２，２４２…延出片部、２４１…縦枠本体部、３…開口部、３０…上カバー材、３１…取付カバー部、３２…上カバー片部、３３…キャップ、４…新設サッシ、４０…縦カバー材、４１…縦カバー片部、４２…取付片部、４３…ねじ、５，６…障子（新設パネル）、５１…スペーサ、５２…防水シート、６０…取付金具、６１，６７…ねじ、６２，６３…シール材、６５…縦片部、６６…横片部、７…網戸、８…下カバー材、９…固定ねじ。
【図１】
2019015094.tif 000003
【図２】
2019015094.tif 000004
【図３】
2019015094.tif 000005
【図４】
2019015094.tif 000006
【図５】
2019015094.tif 000007
【図６】
2019015094.tif 000008